(57)【要約】【課題】  各籠の位置を変更可能とすることにより、複数の籠を積み上げた場合でも、各籠からの商品の出し入れのし易さやディスプレイ効果を高めることができる什器を提供する。【解決手段】  各籠３は側面部９の下部の前後方向に複数の係合部１９を有し、側面部９の上部の前後方向に被係合部２３を有し、支持体５は、最下段にある籠３の側面部の係合部１９と着脱自在に係合する複数の被係合部２７ａ〜１７ｄ（２７）を前後方向に有し、被係合部２７ａ〜２７ｄの数が籠側面部９の係合部１９の数よりも多くあるか又は支持体５の前後方向の長さが変更自在であり、複数の籠３は積み重ねてあると共に側面部９の下部の係合部１９を、下にある籠３の側面部９の上部の被係合部２３に着脱自在に係合してあり、籠３同士が直線状に積み上げること又は最下段よりも上側にある少なく一つの籠３を最下段の籠３よりも後側に位置をずらして積み上げることが選択自在である。【選択図】図１
2014150946.tif 000002
【特許請求の範囲】
【請求項１】
複数の籠と、支持体とを備え、各籠は側面部の下部の前後方向に複数の係合部を有し、側面部の上部の前後方向に被係合部を有し、支持体は、最下段にある籠の側面部の係合部と着脱自在に係合する複数の被係合部を前後方向に有し、被係合部の数が籠側面部の係合部の数よりも多くあるか又は支持体の前後方向の長さが変更自在であり、最下段の籠は側面部の下部にある係合部を支持体の被係合部に係合しており、複数の籠は積み重ねてあると共に側面部の下部の係合部を、下にある籠の側面部の上部の被係合部に着脱自在に係合してあり、籠同士が直線状に積み上げること又は最下段よりも上側にある少なくとも一つの籠を最下段の籠よりも後側に位置をずらして積み上げることが選択自在であることを特徴とする什器。
【請求項２】
複数の籠と、支持体とを備え、各籠は側面部の下部の前後方向に複数の係合部を有し、側面部の上部の前後方向に被係合部を有し、支持体は、最下段にある籠を支持するものであり、複数の籠は積み重ねてあると共に側面部の下部の係合部を、下にある籠の側面部の上部の被係合に着脱自在に係合してあり、籠同士は直線状に積み上げること又は前後方向に位置をずらして積み上げることが選択自在であると共に各籠は前後方向の向きを反転して積み上げ自在であることを特徴とする什器。
【発明の詳細な説明】
【技術分野】
【０００１】
本発明は、籠を積み上げてなる什器に関する。
【背景技術】
【０００２】
非特許文献１には、商品を収納する複数の籠を直線状に積み上げた什器が開示されている。この非特許文献１の什器は、積み重ねた上下の籠は互いに溶接により固定してあった。
【先行技術文献】
【特許文献】
【０００３】
【非特許文献１】第３０１頁「タテヤマアドバンス  タテヤマゴンドラ  ２０１２．６」三協立山株式会社  タテヤマアドバンス社  発行  商品コード  ０９８２２１ＳＥ  ２０１２年６月発行
【発明の概要】
【発明が解決しようとする課題】
【０００４】
しかし、直線状に籠を積み上げた場合には、例えば上の籠が邪魔になって下の籠からの商品の出し入れが容易でない場合や、下の籠に収納した商品が見難くなりディスプレイ効果（陳列効果）が良くない場合があるという問題があった。
一方、従来は積み上げた各籠を互いに溶接により固定していたので、各籠の位置を変えることができなかった。
【０００５】
そこで、本発明は、各籠の位置を変更可能とすることにより、複数の籠を積み上げた場合でも、各籠からの商品の出し入れのし易さやディスプレイ効果を高めることができる什器の提供を目的とする。
【課題を解決するための手段】
【０００６】
請求項１に記載の発明は、複数の籠と、支持体とを備え、各籠は側面部の下部の前後方向に複数の係合部を有し、側面部の上部の前後方向に被係合部を有し、支持体は、最下段にある籠の側面部の係合部と着脱自在に係合する複数の被係合部を前後方向に有し、被係合部の数が籠側面部の係合部の数よりも多くあるか又は支持体の前後方向の長さが変更自在であり、最下段の籠は側面部の下部にある係合部を支持体の被係合部に係合しており、複数の籠は積み重ねてあると共に側面部の下部の係合部を、下にある籠の側面部の上部の被係合部に着脱自在に係合してあり、籠同士が直線状に積み上げること又は最下段よりも上側にある少なくとも一つの籠を最下段の籠よりも後側に位置をずらして積み上げることが選択自在であることを特徴とする什器である。
【０００７】
請求項２に記載の発明は、複数の籠と、支持体とを備え、各籠は側面部の下部の前後方向に複数の係合部を有し、側面部の上部の前後方向に被係合部を有し、支持体は、最下段にある籠を支持するものであり、複数の籠は積み重ねてあると共に側面部の下部の係合部を、下にある籠の側面部の上部の被係合に着脱自在に係合してあり、籠同士は直線状に積み上げること又は前後方向に位置をずらして積み上げることが選択自在であると共に各籠は前後方向の向きを反転して積み上げ自在であることを特徴とする什器である。
【発明の効果】
【０００８】
請求項１及び２に記載の発明によれば、複数の籠を積み上げる場合に、籠同士は直線上に積み上げることができるほか、互いに前後に位置をずらして積み上げることが可能であるから、使用される場所、使用する状況や籠に収納する商品等に応じて、積み上げる形態を種々変更できるので、各籠からの商品の出し入れのし易さやディスプレイ効果を高めることができる。
また、請求項１に記載の発明によれば、籠同士を直線状に籠を積み上げた場合と、最下段よりも上側にある少なく一つの籠を最下段の籠よりも後側に位置をずらして積み上げた場合で、最下段の籠と支持体との係合位置を任意に選択するか又は支持体の長さを変更することにより、積み上げた籠を安定に支持することができる。
更に、請求項２に記載の発明によれば、各籠の向きも前後に変えることができるから、使用される場所や使用する状況等に応じて、後側からも籠内の商品の出し入れができ、更に各籠からの商品の出し入れのし易さを高めると共にディスプレイ効果を高めることができる。
【図面の簡単な説明】
【０００９】
【図１】本発明の第１実施の形態にかかる什器の図であって、（ａ）は（ｂ）に示す什器の正面図、（ｂ）は籠を直線上に４段積み上げた状態を示す側面図、（ｃ）は籠を下側から順次上側にある籠ほど後側にずらして３段積み上げた状態を示す側面図である。
【図２】図１に示す籠の籠本体の図であり、（ａ）は正面図、（ｂ）は平面図、（ｃ）は側面図、（ｄ）は（ｂ）に示すＡ−Ａ断面図である。
【図３】図１に示す籠の側板の図であり、（ａ）は側面図、（ｂ）は正面図、（ｃ）は平面図、（ｄ）は（ａ）に示すＢ−Ｂ断面図、（ｅ）は（ａ）に示すＣ部を反対側の側面から見た側面図、（ｆ）は（ｅ）の平面図、（ｇ）は（ｅ）に示すＤ−Ｄ断面図である。
【図４】図１に示す支持体の図であり、（ａ）は正面図、（ｂ）は平面図、（ｃ）は底面図、（ｄ）は背面図である。
【図５】図１に示す籠及び支持体の斜視図であり、籠を分解して示す斜視図である。
【図６】籠の組み立てを説明する斜視図又は側面図であり、（ａ）〜（ｄ）は支持体に側板を取り付ける図、（ｅ）〜（ｈ）は下の籠の側板に上の籠本体及び上の籠の側板を取り付ける図である。
【図７】籠の組み立てを説明する斜視図であり、（ａ）（ｂ）は籠本体の後面部に側板を取り付ける図であり、（ｃ）（ｄ）は籠本体の前面部に側板を取り付ける図である。
【図８】図１（ｃ）に示す什器において、積み上げた籠と支持体との回転モーメントの関係を説明する側面図である。
【図９】第１実施の形態にかかる什器の側面図であり、（ａ）〜（ｊ）に籠の各種積み上げ例を示した図である。
【図１０】本発明の第２実施の形態にかかる什器の図であって、（ａ）は正面図、（ｂ）は籠を直線上に４段積み上げた状態を示す側面図、（ｃ）は籠を下側から順次上側にある籠ほど後側にずらして４段積み上げた状態を示す側面図である。
【図１１】図１０に示す籠及び支持体の斜視図であり、籠を分解して示す斜視図である。
【図１２】図１０に示す籠本体の図であり（ａ）は正面図、（ｂ）は平面図、（ｃ）は側面図、（ｄ）は（ｂ）に示すＥ−Ｅ断面図である。
【図１３】図１０に示す籠の側板の図であり、（ａ）は側面図、（ｂ）は正面図、（ｃ）は平面図、（ｄ）は（ａ）に示すＢ−Ｂ断面図、（ｅ）は（ａ）に示すＤ部の拡大図、（ｆ）はＤ部を反対側の側面から見た側面図、（ｇ）は（ｅ）に示すＤ−Ｄ断面図、（ｈ）は（ａ）に示すＣ部を抜き出して示し且つ（ａ）において斜め下から見た図、（ｉ）は（ａ）に示すＣ部の拡大図、（ｊ）は（ｈ）に示すＪ−Ｊ断面図である。
【図１４】図１１に示す支持体本体の図であり、（ａ）は正面図、（ｂ）は平面図、（ｃ）は底面図、（ｄ）は背面図である。
【図１５】図１１に示す支持体の継ぎ部材の図であり、（ａ）は正面図、（ｂ）は平面図、（ｃ）は側面図である。
【図１６】図１１に示す支持体の一部を示す図であり、支持体本体と継ぎ部材との固定方法を説明する斜視図である。
【発明を実施するための形態】
【００１０】
以下に、添付図面を参照して、本発明の実施の形態を説明するが、まず、図１〜図９を参照して本発明の第１実施の形態を説明する。本実施の形態に係る什器１は、スーパマーケット等の商業施設で用いられ、商品を収納して陳列する什器であり、図１に示すように、複数の籠３と支持体５とを備えている。
図１〜図３、図５に示すように、各籠３は、線材でできており、籠本体７と側板（側面部）９とを組み立てて構成している。尚、図２及び図３に示すように、籠本体７及び側板９では、輪郭を構成する線材３ａは、面を構成する縦線材３ｂよりも太くしてある。
図２に示すように、籠本体７は、底面部１１と、前面部１３と、後面部１５を有し、前面部１３と後面部１５は底面部１１から上方に立ち上げてあるが、前面部１３は後面部１５よりも立ち上げ寸法を低くして且つ前方に傾斜して設けてある。
図２及び図５に示すように、底面部１１には、その左右端から下方に突設する係止部１７、１７が前後方向に複数設けてあり、本実施の形態では、左側と右側とに各々２個の係止部が設けてある。尚、係止部１７、１７に並んで後側に設けてあるのは補強部１６であり、線材製の籠本体７の形状を補強するためのものである。図２に示すように、係止部１７、１７間は間隔Ｈ１を空けている。また、各係止部１７は、前後方向に内側間の巾Ｗ１を有している。
【００１１】
図３及び図５に示すように、側板９は、下端（下部）９ａの前後方向に複数の下側係合部（係合部）１９が設けてあり、本実施の形態では、２つ設けてある。下側係合部１９は、下方に突設してあり、下端部をＬ字形状に曲げてある。図３に示すように、下側係合部１９は前後方向に巾Ｗ２を有している。この巾Ｗ２は側板９の面を構成する隣合う縦線材３ｂ、３ｂの間隔Ｗ３よりも小さい寸法としてある。
側板９の上端（上部）９ｃは、上に位置する籠３の下側係合部１９に係合する被係合２３になっている。この被係合部２３は側板９の上端の輪郭線材３ａであり、面を形成する隣り合う縦線材３ｂ、３ｂ間で前後方向のいずれの位置でも、上に位置する籠３の下側係合部１９が係合可能である。
側板９の前側は、籠本体７の前面部１３の傾斜に合わせて下端９ａから上部を前側に向けて傾斜した傾斜部９ｂが形成してあり、傾斜部９ｂには前側係合部２１が設けてある。前側係合部２１は、図３（ｅ）〜（ｇ）に示すように、先端を斜め背側に向けた断面Ｌ字形状を成している。
側板９の後側端部には後側係合部２５が上下方向に間隔をあけて２箇所に設けてある。この後側係合部２５は、籠本体７の後面部１５の左端又は右端の輪郭線材３ａに係合する。
【００１２】
図４及び図５に示すように、支持体５は平面視四角形状の枠体であり、左右端には各々の前後方向に複数の被係合部２７ａ〜２７ｄが設けてある。左右の各被係合部２７ａ〜２７ｄの数は、対応する側板９の下側係合部１９の数よりも多い数であり、本実施の形態では、各左右側で、一の組の被係合部２７ａ、２７ｃと、他の組の被係合部２７ｂ、２７ｄが設けてあり、各組は各々２個の被係合部を有し、合計４個設けてある。一の組の被係合部２７ａ、２７ｃのうちの前側に位置する被係合部２７ａは、他の組の被係合部２７ｂ、２７ｄのうちの前側にある被係合部ｂよりも前側に位置し、一の組の被係合部２７ａ、２７ｃのうちの後側に位置する被係合部２７ｃは他の組の被係合部２７ｄ、２７ｄのうちの後側に位置する被係合部２７ｄよりも前側に位置しており、一の組の前側に位置する被係合部２７ａ及び後側に位置する被係合部２７ｃは他の組の対応する被係合部２７ｂ、２７ｃよりもそれぞれ前側に位置している。
図４に示すように、一の組の被係合部２７ａ、２７ｃ間の間隔Ｈ３と、他の組の被係合部２７ｂ、２７ｄ間の間隔Ｈ４は同じ間隔としてある。また、各被係合部２７ａ〜２７ｄは、前後方向の外側巾Ｗ３は、籠本体７に設けた係止部１７の前後方向の内側巾Ｗ１（図２（ｃ）参照）よりも小さい寸法にしてある。
尚、図１及び図５に示すように、支持体５の下面には回転自在なキャスター２９が設けてある。
【００１３】
次に、支持体５と最下段の籠３の組み立て及び上下の籠３の組み立てについて説明する。まず、図１（ａ）（ｂ）に示すように、籠３同士を直線上に積み上げる場合について説明する。
図６（ａ）〜（ｄ）に示すように、支持体５と最下段の籠３との組み立ては、支持体５の上に籠本体７の底面部１１を載置するが、籠本体７の底面部１１を載置するときには、支持体５の他の組の被係合部２７ｂ、２７ｄに対向して、籠本体７の各係止部１７、１７を配置する。
そして、図６（ａ）（ｂ）に示すように、籠本体７の底面部１１に設けた係止部１７の内側巾Ｗ１内に支持体５の被係合部２７ｂを配置して、被係合部２７ｂに対して係止部１７が前後に移動するのを阻止する。尚、被係合部２７ｄにも同様に係止部１７を係止する。
次に、図６（ｃ）に示すように、側板９を横に倒すように傾けた状態で、側板９の下側係合部１９の先端部を籠本体７の底面部１１の輪郭線材３ａの内側から底面を構成する縦線材３ｂ、３ｂ間に挿入した後、側板９を垂直に起こすように回転し、図３（ｄ）に示すように、下側係合部１９を籠本体７の底面部１１の左右にある輪郭線材３ａと支持体５の被係合部２７ｂ、２７ｄとに係合する。
また、図７（ａ）（ｂ）に示すように、側板９の後側端に設けた後側係合部２５を籠本体７の後面部１５の左右にある輪郭線材３ａに係合すると共に、図７（ｃ）（ｄ）に示すように、側板９の前側端に設けた前側係合部２１を籠本体７の前面部１３の左右にある輪郭線材３ａに係合する。
これにより、支持体７と最下段にある籠３との組み立てが完了する。
【００１４】
次に、最下段にある籠３の上に２段目の籠３を組み立てるときには、最下段にある籠３の上に次の段の籠本体７を載置するが、このとき図６（ｅ）（ｆ）に示すように、最下段の籠３に組み付けてある側板９の被係合部２３の上に上の籠３の底面部１１に設けてある係止部１７を載せる。そして、図６（ｆ）〜（ｈ）に示すように、２段目の籠３の側板９を横に倒すように傾けた状態で、下側係合部１９の先端を、側板９の面を構成する縦線材３ｂ、３ｂ間に挿入すると共に側板９を垂直に起こすように回転して、最下段の側板９の被係合部２３に係合する。
その後、２段目にある側板９についても、最下段の場合と同様にして、後側係合部２５を２段目の籠本体７の後面部１５に係止すると共に前側係合部２１を前側部１３に係合する。
以下、同様にして第３段の籠３を第２段目の籠の上に、第４段目の籠３を第３段目の籠３の上に組み付けて、図１（ａ）（ｂ）に示すように、籠同士を直線状に積み上げる。
【００１５】
一方、図１（ｃ）に示すように、上段にある籠３を下の段にある籠３に対して順次後ろ側にずらして、雛壇状にする場合について説明する。
まず、支持体５の上に籠本体７を載置するときに、図４に示すように、支持体５の一の組の被係合部２７ａ、２７ｃの各々に対向して籠本体７の各係止部１７を配置する。そして、上述した籠３を直線状に積み上げる場合と同様にして支持体５と最下段の籠３を組み立てる。
２段目の籠を最下段にある籠３に組み立てる場合には、２段目の籠本体７を最下段の籠３の側板９の上に載せるときに籠本体の係止部１７の位置を、籠３を直線状に積み上げるときよりも後側にずらすようにして配置し、以下、上述した２段目の籠の組み立てと同様にして、２段面の側板９を最下段の籠の側板９に係合すると共に２段目の籠本体７の前面部１３及び後面部１５に係合する。３段目の籠３も同様にして、２段目の籠３の上に組み立てる。
【００１６】
次に、第１実施の形態にかかる什器１の作用効果を説明するが、まず、図１（ｃ）に示すように籠３を上方ほど順次後側にずらして積み上げたときの支持体５に作用するモーメントの関係を、図８を参照して説明する。尚、図８では側板９は省略している。
図８に実線で示すようにキャスター２９が前側を向いている場合と、二点鎖線で示すようにキャスター２９を回転させて後側に向けた場合とで、キャスター２９と床面との接地点は、支点Ｇ付近となる。一方、最下段の籠３は、支持体５との係止位置を一の組の被係合部２７ａ、２７ｃで係止してあり、最下段にある籠３は、直線状に積み上げた場合よりも前側で支持体５に係止し且つ最上の籠３の後部に作用する力点は矢印Ｓで示すように、水平位置で支点Ｇと略同じ位置に対応している。これにより、積み上げた籠の力点Ｓが支点Ｇ付近にあるので、後側に回転するモーメントの発生を防止し、安定した状態に保持できる。
尚、支点Ｇが最上の籠３の後部（力点Ｓ）よりも大きく前側にあると後側に転倒するように作用するモーメントＭが生じるので、不安定な状態になる。
【００１７】
次に、図９を参照して、第１実施の形態における籠３の積み上げ方を各種説明する。
図９（ａ）〜（ｄ）は籠３を４段に積み上げる場合で且つ直線状に積み上げる例を示したものである。図９（ａ）は２段目及び４段目の籠の前面部１３を後向きにして積み上げており、（ｂ）最上段の籠の前面部１３のみを後向きにし、（ｃ）は上２段の籠の前面１３を後向きにし、（ｄ）は最下段以外の籠３の前面部１３を後向きにしたものである。尚、（ａ）〜（ｄ）では、最下段の籠３の下側係合部１９は支持体５の他の組の被係合部２７ｂ、２７ｄに係合している。
図９（ｅ）〜（ｈ）は籠３を３段に積み上げる場合であり、（ｅ）（ｆ）は各籠３を直線状に積み上げると共に（ｅ）は２段目及び３段目の籠の前面部１３を後側に向けてあり、（ｆ）は最上段の籠の前面部１３のみを後側に向けてあり、（ｇ）は最下段の籠３に対して上２段を後側にずらしてあり、（ｈ）は最上段の籠３のみを後側にずらした例を示したものである。尚、（ｅ）（ｆ）では、最下段の籠３の下側係合部１９は支持体５の他の組の被係合部２７ｂ、２７ｄに係合しており、（ｇ）（ｈ）では、最下段の籠３の下側係合部１９は支持体５の一の組の被係合部２７ａ、２７ｃに係合している。
図９（ｉ）及び（ｊ）は、籠３を２段に積み上げる場合である。（ｉ）は籠３を直線状に積み上げると共に２段目は籠３の前面部１３を後ろ向きにしてあり、（ｊ）は最下段の籠３に対して２段目の籠３を後側にずらして係止している。尚、最下段の籠３の下側係合部１９は（ｉ）では他の組の被係合部２７ｂ、２７ｄに係合しており、（ｊ）では一の組の被係合部２７ａ、２７ｃに係合している。
【００１８】
第１実施の形態によれば、複数の籠３を積み上げる場合に、図１（ｂ）、図９（ａ）〜（ｆ）（ｉ）に示すように、籠同士は直線上に積み上げることができるほか、図１（ｃ）、図９（ｇ）（ｈ）（ｊ）に示すように、前後側に位置をずらして積み上げることが可能であるから、使用される場所、使用する状況や籠に収納する商品等に応じて、積み上げる形態を種々変更できるので、各籠からの商品の出し入れのし易さやディスプレイ効果を高めることができる。
更に、図９（ａ）〜（ｈ）（ｉ）に示すように、任意の籠３の向きも前後に変えることができるから、使用される場所や使用する状況等に応じて、後側からも籠内の商品の出し入れができ、更に各籠３からの商品の出し入れのし易さを高めると共にディスプレイ効果を高めることができる。
例えば、図１（ｂ）に示すように籠３同士を直線状に籠を積み上げた場合と、図１（ｃ）に示すように、最下段よりも上側にある少なく一つの籠３を最下段の籠３よりも後側に位置をずらして積み上げた場合で、最下段の籠３の下側係合部１９と支持体５の被係合部２７ａ〜１７ｄとの係合位置を一の組の被係合部２７ａ、２７ｃ又は他の組の被係合部２７ｂ、２７ｄを選択することにより、積み上げた籠を安定に支持することができる。
図１や図９に示すように、各上下の籠３同士は下側係合部１９と被係合部２３により脱着自在に係合し、最下段の籠３と支持体５とは籠３の下側係合部１９と支持体５の被係合部２７ａ〜２７ｄにより脱着自在にしてあるから、什器１の使用状態や使用形態に応じて、しかも使用場所で籠３の積み上げ方を種々変更できるので、使用勝手が良い。
籠３では、側板９の下部に下側係合部１９を設け、側板９の上部は上に位置する籠の下側係合部１９に係合する被係合部２３としてあるので、構成が簡易である。
【００１９】
籠３は、籠本体７と、側板９とで構成しており、側板９には、下側係合部１９と、前側係合部２１と、後側係合部２５とを設けて、これらを籠本体７の対向する輪郭線材３ａに係合して組み立てできるので、構成及び組み立てが容易である。
図３に示すように、側板９の各下側係合部１９の前後の巾寸法Ｗ２を側板９の面を構成する縦線材３ｂ、３ｂ間の間隔Ｗ３よりも狭くしているので、上下の籠３、３同士を組み立てるときには、上側の側板９の下側係合部１９を下側の側板９に面を構成する縦線材３ｂ、３ｂ間に挿入することで簡単に係合でき、且つ側板９の面を構成する縦線材３ｂ、３ｂにより前後の移動を阻止できる。
側板９の上部に設けた被係合部２３は、側板９の輪郭線材３ａとしているので、上にある籠３の側板９の下側係合部１９は、側板９の面を形成する縦線材３ｂ、３ｂ間であれば任意の位置に係合できるから、上の籠３を後方向にずらして組み立てるときにずらす寸法に制限なく、自由な寸法をずらすことができる。
【００２０】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図１０〜図１６に、本発明の第２実施の形態を示す。この第２実施の形態では、図１０、図１１及び図１４に示すように、支持体５及び被係合部２７が第１実施の形態と主に異なっている。
図１０及び図１１に示すように、支持体５は、支持本体３１と継ぎ部材３３とで構成してあり、図１４に示すように、支持本体３１は、前側枠材３１ａと、左右側枠材３１ｂ、３１ｂとで平面視コ字状を成しており、左右側枠材３１ｂ、３１ｂには各々前後方向の２箇所に被係合部２７が設けてある。
図１１及び図１５に示すように、左右側枠材３１ａ、３１ｂの後端には継ぎ部材３３の前側部３３ａが挿入してあり、図１６に示すように、前側部３３ａには前後方向に複数の係止孔３５が形成してある。本実施の形態では、係止孔３５は前後方向に４個ある。また、図１４及び図１６に示すように、左右側枠材３１ａ、３１ｂの後側部にはねじ３７の挿通孔３９が形成してあり、左右側枠材３１ａ、３１ｂに各々挿入してある継ぎ部材３３を所定位置で固定できるようになっている。即ち、継ぎ部材３３は前側部３３ａの挿入量を変えることにより、支持体５が前後方向に長さを変更自在になっている。
図１３に示すように、各側板９には、下側係合部１９が３つ設けてあり、籠本体７の係合部１７、１７の他に補強部１６にも下側係合部１９が係合するようになっている。
尚、図１０及び図１１に示すように、支持体５には、前側枠材３１ａと、左右側枠材３１ｂ、３１ｂの後端部と、継ぎ部材３３の後側部３３ｂにキャスター２９が取り付けてある。
【００２１】
この第２実施の形態によれば、図１０（ｂ）に示すように、籠３を直線状に積み上げることができると共に、図１０（ｃ）に示すように、最下段の籠よりも上側の籠を順次後側にずらして積み上げた場合には、支持体５を前後方向の長さを伸ばして安定にすることができる。
即ち、最下段の籠３よりも上側の籠３を順次後側にずらして積み上げた場合に、例えば、籠３を４段にして積み上げた場合には、支持体５の前後方向の長さを長くすることにより、図８に示すように、支点Ｇの位置を後側にすることができるから、支点Ｇの位置を最上の籠３の後端部よりも前側に調整できるので、安定な状態に保つことができる。
また、この第２実施の形態によれば、任意の籠３を後側にずらして積み上げた場合に、最下段の籠３と支持体５との取り付け位置を変えることなく、支持体の前後方向の長さを伸ばすだけで済むので、組み立て易い。
第２実施の形態において、籠３の積み上げる形態を、図９に示すように第１実施の形態と同様に種々の形態にすることができると共に、籠３を４段積みした場合には更に図９（ｇ）（ｈ）の場合と同様に、２段目の籠を後側にずらして３段目及び４段目の籠を２段目の上に直線状に積んだり、３段目の籠を後側にずらして４段目の籠を３段目の上に直線状に積んだり、４段目の籠のみを後側にずらしても良い。
また、第２実施の形態において、図９（ｅ）〜（ｈ）に示すように第１実施の形態と同様に３段積みにして用いたり、（ｉ）（ｈ）のように２段積みにして用いても良い。
したがって、第２実施の形態にかかる什器１によれば、第１実施の形態と同様に、籠３の積み上げ方や籠３の向きは種々変形可能であるから、使用される場所、使用する状況や籠に収納する商品等に応じて、積み上げる形態を種々変更できるので、各籠からの商品の出し入れのし易さやディスプレイ効果を高めることができる。
【００２２】
本発明は、上述した実施の形態に限らず、本発明の要旨を逸脱しない範囲で種々変形可能である。
第１実施の形態において、支持体５の左右に設ける被係合部２７ａ〜２７ｄは、一の組の被係合部２７ａ、２７ｃと、他の組の被係合部２７ｂ、２７ｄとすることに限らず、３個の組の被係合部としても良いし、各一組の被係合部２７ａ、２７ｂの数は籠の下側係合部１９の数に応じて３個にしても良いし一組の被係合部２７ａ、２７ｂの数は制限されない。同様に、第２実施の形態においても、被係合部２７の数は、制限されない。
第１実施の形態で用いた支持体５は、第２実施の形態で用いた支持体５に変更しても良いし、第２実施の形態で用いた支持体５を第１実施の形態で用いた支持体５に変更しても良い。
第１及び第２実施の形態において、籠３は、別体の籠本体７と側板９とで構成したが、籠本体７と側板９とは一体に構成しても良い。また、支持体５に、キャスター２９は無くても良い。
【符号の説明】
【００２３】
１    什器
３    籠
５    支持体
９    側板（側面部）
１７  係止部
１９  下側係合部（係合部）
２３  被係合部（側面部の被係合部）
２７ａ〜２７ｄ、２７  被係合部（支持体の被係合部）
３１  支持本体
３３  継ぎ部材
【図１】
2014150946.tif 000003
【図２】
2014150946.tif 000004
【図３】
2014150946.tif 000005
【図４】
2014150946.tif 000006
【図５】
2014150946.tif 000007
【図６】
2014150946.tif 000008
【図７】
2014150946.tif 000009
【図８】
2014150946.tif 000010
【図９】
2014150946.tif 000011
【図１０】
2014150946.tif 000012
【図１１】
2014150946.tif 000013
【図１２】
2014150946.tif 000014
【図１３】
2014150946.tif 000015
【図１４】
2014150946.tif 000016
【図１５】
2014150946.tif 000017
【図１６】
2014150946.tif 000018